(57)【要約】【課題】  簡単に使用することができ、かつ、未使用の場合でもクリーナーの塗布部分が誤って外部に露出して周囲を汚すこともない簡易払拭清掃具を提供すること。【解決手段】  払拭用のシート材１が略同サイズの袋体２の内部に収容されて構成される簡易な払拭清掃具であって、これら両部材は、前記シート材１が収容された状態で袋体２の側辺21の端縁近傍に沿って合着されて一体に接合して、前記袋体２の前面においては、前記合着ライン近傍に沿って並行する可断部22を形成する一方、同袋体２の後面においては、前記側辺21側から手指を差入れ可能なポケット部23を設け、前記可断部22を破断して開封して、この可断部22から前記シート材１の自由端側を袋体２から取り出して当該シート材１の払拭面11を露出させるとともに、後面の前記ポケット部23において保持して払拭できるようにするという技術的手段を採用した。【選択図】  図１
2007252423.tif 000002
【特許請求の範囲】
【請求項１】
払拭用のシート材１が略同サイズの袋体２の内部に収容されて構成される簡易な払拭清掃具であって、これら両部材は、前記シート材１が収容された状態で袋体２の側辺21の端縁近傍に沿って合着されて一体に接合されており、
前記袋体２の前面においては、前記合着ライン近傍に沿って並行する可断部22が形成されている一方、同袋体２の後面においては、前記側辺21側から手指を差入れ可能なポケット部23が設けられており、
前記可断部22を破断して開封して、この可断部22から前記シート材１の自由端側を袋体２から取り出して当該シート材１の払拭面11を露出させるとともに、後面の前記ポケット部23において保持して払拭できるようにしたことを特徴とする簡易払拭清掃具。
【請求項２】
袋体２の側辺21の対辺側には開口部24が設けられ、かつ、この開口部24縁部には当該開口部24を封止可能な封止片25が一体に延成されており、
この封止片25を折り返して、その接触位置に設けられた粘着シール部26に貼り付けて開口部24を封止できる一方、
シート材１を取り出したときには、前記粘着シール部26をシート材１における払拭面11の裏面を貼着して固定できるようにしたことを特徴とする請求項１記載の簡易払拭清掃具。
【請求項３】
払拭用のシート材１が略同サイズの袋体２の内部に収容されて構成される簡易な払拭清掃具であって、これら両部材は、前記シート材１が収容された状態で袋体２の側辺21の端縁近傍および当該側辺21の対辺側の端縁近傍に沿って合着されて一体に接合されており、
前記袋体２の前面においては、前記合着ライン近傍に沿って並行する可断部22が形成されている一方、同袋体２の後面においては、前記側辺21側から手指を差入れ可能なポケット部23が設けられており、
前記可断部22を破断して開封して、前記シート材１の払拭面11を露出させるとともに、抑え面となる払拭面裏側は全面または一部が袋体２と面着して、前記ポケット部23において保持して払拭できるようにしたことを特徴とする簡易払拭清掃具。
【請求項４】
袋体２の可断部22が、両端縁における袋体側縁に沿って更に破断可能であることを特徴とする請求項１〜３の何れか一つに記載の簡易払拭清掃具。
【請求項５】
袋体２のポケット部23内部にチラシ体を同封するか、あるいは、袋体２の表面に貼付または印刷することによって広告手段３を配設できるようにしたことを特徴とする請求項１〜４の何れか一つに記載の簡易払拭清掃具。
【請求項６】
シート材１と袋体２との合着部分が、熱溶着により形成されていることを特徴とする請求項１〜５の何れか一つに記載の簡易払拭清掃具。
【請求項７】
シート材１がスポンジ体であることを特徴とする請求項１〜６の何れか一つに記載の簡易払拭清掃具。
【発明の詳細な説明】
【技術分野】
【０００１】
本発明は、清掃具の改良、更に詳しくは、簡単に使用することができ、かつ、未使用の場合でもクリーナーの塗布部分が誤って外部に露出して周囲を汚すこともなく、しかも、要すれば、宣伝広告用に配布するノベルティとしても利用することもできる簡易払拭清掃具に関するものである。
【背景技術】
【０００２】
物品を払拭して清掃する場合、例えば、靴の汚れを取る場合（靴磨き）には、靴墨やクリーナーなどを塗って布などで拭き取る方法が用いられているが、従来、外出先でも使用することができる携帯用の靴磨き用具が知られている（例えば、特許文献１参照）。
【０００３】
しかしながら、かかる靴磨き用具にあっては、靴墨が表面に塗布してあるために、保護用シートをめくってから使用しなければならないという不便があった。また、この保護用シートが使用前に誤って剥離してしまうと、周囲を汚してしまうというおそれもあった。
【特許文献１】特開２００２−１５９４３２号公報（第３−４頁、図１）
【発明の開示】
【発明が解決しようとする課題】
【０００４】
本発明は、従来の清掃具に上記問題があったことに鑑みて為されたものであり、簡単に使用することができ、かつ、未使用の場合でもクリーナーの塗布部分が誤って外部に露出して周囲を汚すこともなく、しかも、要すれば、宣伝広告用に配布するノベルティとしても利用することもできる簡易払拭清掃具を提供することを技術的課題とする。
【課題を解決するための手段】
【０００５】
本発明者が上記技術的課題を解決するために採用した手段を、添付図面を参照して説明すれば、次のとおりである。
【０００６】
即ち、本発明は、払拭用のシート材１が略同サイズの袋体２の内部に収容されて構成される簡易な払拭清掃具であって、これら両部材を、前記シート材１が収容された状態で袋体２の側辺21の端縁近傍に沿って合着されて一体に接合して、
前記袋体２の前面においては、前記合着ライン近傍に沿って並行する可断部22を形成する一方、同袋体２の後面においては、前記側辺21側から手指を差入れ可能なポケット部23を設け、
前記可断部22を破断して開封して、この可断部22から前記シート材１の自由端側を袋体２から取り出して当該シート材１の払拭面11を露出させるとともに、後面の前記ポケット部23において保持して払拭できるようにするという技術的手段を採用した。
【０００７】
また、本発明は、上記課題を解決するために、必要に応じて上記手段に加え、袋体２の側辺21の対辺側には開口部24を設け、かつ、この開口部24縁部には当該開口部24を封止可能な封止片25を一体に延成して、
この封止片25を折り返して、その接触位置に設けられた粘着シール部26に貼り付けて開口部24を封止できる一方、
シート材１を取り出したときには、前記粘着シール部26をシート材１における払拭面11の裏面を貼着して固定できるようにするという技術的手段を採用することができる。
【０００８】
また、本発明は、シート材１および袋体２を、前記シート材１が収容された状態で袋体２の側辺21の端縁近傍および当該側辺21の対辺側の端縁近傍に沿って合着されて一体に接合して、
前記袋体２の前面においては、前記合着ライン近傍に沿って並行する可断部22を形成する一方、同袋体２の後面においては、前記側辺21側から手指を差入れ可能なポケット部23を設け、
前記可断部22を破断して開封して、前記シート材１の払拭面11を露出させるとともに、抑え面となる払拭面裏側は全面または一部が袋体２と面着して、前記ポケット部23において保持して払拭できるようにするという技術的手段を採用した。
【０００９】
更にまた、本発明は、上記課題を解決するために、必要に応じて上記手段に加え、袋体２の可断部22を、両端縁における袋体側縁に沿って更に破断可能にするという技術的手段を採用することができる。
【００１０】
更にまた、本発明は、上記課題を解決するために、必要に応じて上記手段に加え、袋体２の内部にチラシ体を同封するか、あるいは、袋体２の表面に貼付または印刷することによって広告手段３を配設できるようにするという技術的手段を採用することができる。
【００１１】
更にまた、本発明は、上記課題を解決するために、必要に応じて上記手段に加え、シート材１と袋体２との合着部分を、熱溶着により形成するという技術的手段を採用することができる。
【００１２】
更にまた、本発明は、上記課題を解決するために、必要に応じて上記手段に加え、シート材１をスポンジ体にするという技術的手段を採用することができる。
【発明の効果】
【００１３】
本発明にあっては、シート材を袋体に収容した状態でこの袋体の側辺の端縁近傍に沿って合着して一体に接合して、前記袋体の前面においては、前記合着ライン近傍に沿って並行する可断部を形成する一方、同袋体の後面においては、前記側辺側から手指を差入れ可能なポケット部を設けたことによって、前記可断部を破断して開封して、この可断部から前記シート材の自由端側を袋体から取り出して当該シート材の払拭面を露出させるとともに、後面の前記ポケット部において保持して払拭することができる。
【００１４】
また、本発明の払拭清掃具を使用することにより、未使用の場合でもクリーナーの塗布部分が誤って外部に露出して周囲を汚すこともなく、しかも、要すれば、宣伝広告用に配布するノベルティとしても利用することもできることから、実用的利用価値は頗る大きいと云える。
【発明を実施するための最良の形態】
【００１５】
本発明を実施するための最良の形態を具体的に図示した図面に基づいて更に詳細に説明すると、次のとおりである。
【００１６】
『第１実施形態』
本発明の第１実施形態を図１から図５に基づいて説明する。図中、符号１で指示するものはシート材であり、このシート材１は略方形の払拭可能な薄手の布帛などで作製されており、適宜、表面に靴墨やクリーナーなどを含浸させておくこともできる。本実施形態では、このシート材１をスポンジ体（例えば、発泡ポリエチレン）にして、対象物を傷付けないように緩衝的に払拭することができる。
【００１７】
また、符号２で指示するものは袋体であり、この袋体２は、前記シート材１と略同サイズであって、本実施形態では、透明のポリプロピレン（ＰＰ）フィルム製のものを採用する。
【００１８】
しかして、本発明における払拭清掃具にあっては、図１に示すように、シート材１を袋体２の内部に収容して構成した簡易な払拭清掃具であって、構成するにあっては、まず、これら両部材を、前記シート材１を収容した状態で袋体２の側辺21の端縁近傍に沿って合着して一体に接合する。
【００１９】
この際、シート材１と袋体２との合着部分を、熱溶着（ヒートシール）により形成することができる。
【００２０】
次に、前記袋体２の前面において、前記合着ライン近傍に沿って並行する可断部22を形成する。この可断部22は、ミシン目状に破断して成形されており、このミシン目に沿って手で簡単に開封することができる（図２参照）。
【００２１】
また、同袋体２の後面においては、前記側辺21側から手指を差入れ可能なポケット部23が設けられており、本実施形態では、袋状に形成されている（図３参照）。
【００２２】
そして、図４に示すように、前記袋体２の可断部22を破断して開封して、この可断部22から前記シート材１の自由端側を袋体２から取り出して当該シート材１の払拭面11を露出させるとともに、図５に示すように、後面の前記ポケット部23において手指を差入れて保持して、対象物（靴）を払拭することができるのである。
【００２３】
『第２実施形態』
本発明の第２実施形態を図６から図９に基づいて説明する。本実施形態では、袋体２の側辺21の対辺側に開口部24を設け、かつ、この開口部24縁部に当該開口部24を封止可能な封止片25を一体に延成した点に特徴を有する（図６参照）。
【００２４】
そして、使用していない場合には、この封止片25を折り返して、その接触位置に設けられた粘着シール部26に貼り付けて開口部24を封止することができる。この粘着シール部26に用いる粘着剤としては、剥離自在なゴム系粘着剤やアクリル系粘着剤を採用することができる。
【００２５】
また、シート材１を取り出したときには、前記粘着シール部26をシート材１における払拭面11の裏面を貼着して固定することができるようにした（図７参照）。
【００２６】
このように構成することにより、使用時に取り出したシート材１を安定ならしめることができ、使い勝手を向上せしめることができる。また、図７および図８に示すように、設計上、封止片25に粘着シール部26を設けた場合には、封止片25を反対側に折り返すことによって、同様にしてシート材１における払拭面11の裏面を貼着して当該シート材１を固定することができる。
【００２７】
『第３実施形態』
本発明の第３実施形態を図１０および図１１に基づいて説明する。本実施形態では、シート材１および袋体２を、前記シート材１が収容された状態で袋体２の側辺21の端縁近傍および当該側辺21の対辺側の端縁近傍に沿って合着されて一体に接合する。
【００２８】
この際、シート材１と袋体２との合着部分は、熱溶着（ヒートシール）により形成するものとし、この合着部分は、その全面または一部を熱融着するとよい。
【００２９】
また、前記実施形態と同様に、前記袋体２の前面においては、前記合着ライン近傍に沿って並行する可断部22を形成する一方、同袋体２の後面においては、前記側辺21側から手指を差入れ可能なポケット部23を設ける。
【００３０】
そして、本実施形態品にあっては、前記可断部22を破断して開封して、前記シート材１の払拭面11を露出させるとともに、抑え面となる払拭面裏側は全面または一部が袋体２と面着して、前記ポケット部23において保持して払拭でき、シート材１の払拭面11における各側辺の裏側において合着させて安定ならしめることができ、使い勝手を向上せしめることができる。
【００３１】
本発明は、概ね上記のように構成されるが、図示の実施形態に限定されるものでは決してなく、「特許請求の範囲」の記載内において種々の変更が可能であって、例えば、シート材１の材料は、スポンジ材に限らず、不織布などの布帛であっても良い。
【００３２】
また、図１２に示すように、袋体２の可断部22を、両端縁における袋体側縁に沿って更に破断可能にすることもでき、シート材１と取り出し易くして使い勝手をより良くすることができる。
【００３３】
更にまた、図１３に示すように、袋体２のポケット部23内部にチラシ体を同封したり、あるいは、袋体２の表面にシールを貼り付けたり、または、直接印刷することによって広告手段３を配設できるようにすることもでき、宣伝広告のためのノベルティ用の販促品としても使用することができる。
【００３４】
また、シート材１および袋体２の形状やデザインも適宜変更することができるし、更にまた、図１４に示すように、シート材１のポケット部23は帯状であっても良い。そして、本発明品の用途は、靴磨き用に限らず、窓拭きや自動車清掃用品として使用することも可能であり、これら何れのものも本発明の技術的範囲に属する。
【図面の簡単な説明】
【００３５】
【図１】本発明の第１実施形態の払拭清掃具を表わす全体斜視図である。
【図２】本発明の第１実施形態の払拭清掃具の使用手順を表わす説明斜視図である。
【図３】本発明の第１実施形態の払拭清掃具の使用手順を表わす説明斜視図である。
【図４】本発明の第１実施形態の払拭清掃具の使用手順を表わす説明斜視図である。
【図５】本発明の第１実施形態の払拭清掃具の使用状態を表わす全体斜視図である。
【図６】本発明の第２実施形態の払拭清掃具を表わす全体斜視図である。
【図７】本発明の第２実施形態の払拭清掃具を表わす全体斜視図である。
【図８】本発明の第２実施形態の払拭清掃具の変形例を表わす全体斜視図である。
【図９】本発明の第２実施形態の払拭清掃具の変形例を表わす全体斜視図である。
【図１０】本発明の第３実施形態の払拭清掃具を表わす全体斜視図である。
【図１１】本発明の第３実施形態の払拭清掃具を表わす全体斜視図である。
【図１２】本発明の実施形態の払拭清掃具の変形例を表わす全体斜視図である。
【図１３】本発明の実施形態の払拭清掃具の変形例を表わす全体斜視図である。
【図１４】本発明の実施形態の払拭清掃具の変形例を表わす全体斜視図である。
【符号の説明】
【００３６】
１    シート材
11    払拭面
２    袋体
21    側辺
22    可断部
23    ポケット部
24    開口部
25    封止片
26    粘着シール部
３    広告手段
【図１】
2007252423.tif 000003
【図２】
2007252423.tif 000004
【図３】
2007252423.tif 000005
【図４】
2007252423.tif 000006
【図５】
2007252423.tif 000007
【図６】
2007252423.tif 000008
【図７】
2007252423.tif 000009
【図８】
2007252423.tif 000010
【図９】
2007252423.tif 000011
【図１０】
2007252423.tif 000012
【図１１】
2007252423.tif 000013
【図１２】
2007252423.tif 000014
【図１３】
2007252423.tif 000015
【図１４】
2007252423.tif 000016